(57)【要約】【課題】配信される情報と配信の対象者との関連性を高めることの可能な情報管理サーバ、情報配信システム、および、情報配信方法を提供する。【解決手段】情報管理サーバ１０は、コンテンツを紹介する情報が表示される表示部２１、および、ユーザ端末５０の宛先が入力される入力部２２を備える表示端末２０と、ユーザ端末５０宛に情報を送信する送信サーバ３０とに接続される。情報管理サーバ１０は、ユーザ端末５０の宛先を表示端末２０から受信する受信部１１と、受信部１１が受信したユーザ端末５０の宛先を用いて、送信サーバ３０に対してユーザ端末５０宛にコンテンツを示す情報の送信を要求する要求データを生成する生成部１３ａと、要求データを送信サーバ３０に送信する送信部１１と、を備える。【選択図】図１
2014167689.tif 000002
【特許請求の範囲】
【請求項１】
コンテンツを紹介する情報が表示される表示部、および、ユーザ端末の宛先が入力される入力部を備える表示端末と、前記ユーザ端末宛に情報を送信する送信サーバとに接続される情報管理サーバであって、
前記ユーザ端末の宛先を前記表示端末から受信する受信部と、
前記受信部が受信した前記ユーザ端末の宛先を用いて、前記送信サーバに対して前記ユーザ端末宛に前記コンテンツを示す情報の送信を要求する要求データを生成する生成部と、
前記要求データを前記送信サーバに送信する送信部と、
を備えることを特徴とする情報管理サーバ。
【請求項２】
複数のコンテンツの各々に割り当てられた識別情報と前記コンテンツを示す情報とが対応付けられたコンテンツデータを格納する記憶部をさらに備え、
前記受信部は、前記ユーザ端末の宛先と、前記複数のコンテンツのうちの少なくとも１つのコンテンツに対応する前記識別情報とを前記表示端末から受信し、
前記生成部は、前記受信部が受信した前記識別情報と対応付けられた前記コンテンツを示す情報を前記コンテンツデータに基づいて特定し、特定された前記コンテンツを示す情報と前記ユーザ端末の宛先とを用いて前記要求データを生成する
請求項１に記載の情報管理サーバ。
【請求項３】
前記コンテンツデータは、前記識別情報と前記コンテンツを示す情報との対応付けを期間ごとに格納し、
前記生成部は、同一の前記識別情報に対して前記期間に応じた前記コンテンツを示す情報を特定する
請求項２に記載の情報管理サーバ。
【請求項４】
前記受信部が、前記表示端末から受信した情報を記憶部に登録する登録部をさらに備える
請求項１〜３のいずれか一項に記載の情報管理サーバ。
【請求項５】
前記ユーザ端末の宛先は、前記ユーザ端末に固有の電話番号である
請求項１〜４のいずれか一項に記載の情報管理サーバ。
【請求項６】
表示端末と、送信サーバと、前記表示端末および前記送信サーバに接続された情報管理サーバと、を含む情報配信システムであって、
前記表示端末は、
コンテンツを紹介する情報が表示される表示部と、
ユーザ端末の宛先が入力される入力部と、を備え、
前記情報管理サーバは、
前記ユーザ端末の宛先を前記表示端末から受信する受信部と、
前記受信部が受信した前記ユーザ端末の宛先を用いて、前記送信サーバに対して前記ユーザ端末宛に前記コンテンツを示す情報の送信を要求する要求データを生成する生成部と、
前記要求データを前記送信サーバに送信する送信部と、を備え、
前記送信サーバは、前記情報管理サーバから受信した前記要求データに基づいて、前記コンテンツを示す情報を前記ユーザ端末宛に送信する
ことを特徴とする情報配信システム。
【請求項７】
コンテンツを紹介する情報が表示される表示端末に入力されたユーザ端末の宛先を、表示端末から情報管理サーバに送信するステップと、
前記情報管理サーバが受信した前記ユーザ端末の宛先を用いて、送信サーバに対して前記ユーザ端末宛に前記コンテンツを示す情報の送信を要求する要求データを生成するステップと、
前記要求データを前記情報管理サーバから前記送信サーバに送信するステップと、
前記要求データに基づいて、前記コンテンツを示す情報を前記送信サーバから前記ユーザ端末宛に送信するステップと、
を含む情報配信方法。
【発明の詳細な説明】
【技術分野】
【０００１】
本開示の技術は、情報管理サーバ、情報管理サーバを用いて情報を配信する情報配信システム、および、情報配信方法に関する。
【背景技術】
【０００２】
従来から、公共の場に設置されたデジタルサイネージ等の表示端末に、文字情報や動画等のコンテンツを表示させることにより、情報を配信するシステムが知られている。こうしたシステムでは、表示端末に表示されるコンテンツが、サーバからネットワークを通じて表示端末に送信される。サーバは、表示端末が設置されている地域や表示端末の周辺環境に応じて、表示端末に送信するコンテンツを決定して、表示端末の設置状況に応じたコンテンツを表示端末に表示させる（例えば、特許文献１参照）。
【先行技術文献】
【特許文献】
【０００３】
【特許文献１】特開２０１２−２２６０１７号公報
【発明の概要】
【発明が解決しようとする課題】
【０００４】
しかしながら、表示端末による情報の配信対象者は、表示端末に表示されるコンテンツを見る不特定多数の人であるため、表示端末の設置状況に応じたコンテンツが表示端末に表示されるとはいえ、配信対象者との関連性の高い情報を配信することには限界がある。
【０００５】
本開示の技術は、配信される情報と配信の対象者との関連性を高めることの可能な情報管理サーバ、情報配信システム、および、情報配信方法を提供することを目的とする。
【課題を解決するための手段】
【０００６】
本開示の技術における情報管理サーバの一態様は、コンテンツを紹介する情報が表示される表示部、および、ユーザ端末の宛先が入力される入力部を備える表示端末と、前記ユーザ端末宛に情報を送信する送信サーバとに接続される情報管理サーバであって、前記ユーザ端末の宛先を前記表示端末から受信する受信部と、前記受信部が受信した前記ユーザ端末の宛先を用いて、前記送信サーバに対して前記ユーザ端末宛に前記コンテンツを示す情報の送信を要求する要求データを生成する生成部と、前記要求データを前記送信サーバに送信する送信部と、を備える。
【０００７】
上記構成によれば、コンテンツを紹介する情報が表示される表示端末に入力されたユーザ端末の宛先が、コンテンツを示す情報の送信の要求に用いられる。したがって、配信される情報であるコンテンツを示す情報と配信の対象者であるユーザとの関連性が高められる。
【０００８】
本開示の技術における情報管理サーバの他の態様は、複数のコンテンツの各々に割り当てられた識別情報と前記コンテンツを示す情報とが対応付けられたコンテンツデータを格納する記憶部をさらに備え、前記受信部は、前記ユーザ端末の宛先と、前記複数のコンテンツのうちの少なくとも１つのコンテンツに対応する前記識別情報とを前記表示端末から受信し、前記生成部は、前記受信部が受信した前記識別情報と対応付けられた前記コンテンツを示す情報を前記コンテンツデータに基づいて特定し、特定された前記コンテンツを示す情報と前記ユーザ端末の宛先とを用いて前記要求データを生成する。
【０００９】
上記構成によれば、情報管理サーバの記憶部は、複数のコンテンツの各々に割り当てられた識別情報とコンテンツを示す情報とを対応付け、情報管理サーバの生成部は、表示端末から送信されるコンテンツの識別情報に応じて、要求データの生成に用いられるコンテンツを示す情報を特定する。したがって、配信される情報を多様化することができる。
【００１０】
本開示の技術における情報管理サーバの他の態様は、前記コンテンツデータは、前記識別情報と前記コンテンツを示す情報との対応付けを期間ごとに格納し、前記生成部は、同一の前記識別情報に対して前記期間に応じた前記コンテンツを示す情報を特定する。
【００１１】
上記構成によれば、情報管理サーバが表示端末から同一の識別情報を受信した場合であっても、生成部によって特定されるコンテンツを示す情報を日付や時刻によって異ならせることができる。したがって、配信される情報を多様化することができる。
【００１２】
本開示の技術における情報管理サーバの他の態様は、前記受信部が、前記表示端末から受信した情報を記憶部に登録する登録部をさらに備える。
上記構成によれば、表示端末から受信した情報が記憶部に蓄積されるため、こうしたデータを情報の配信状況の解析に利用することが可能となる。
【００１３】
本開示の技術における情報管理サーバの他の態様は、前記ユーザ端末の宛先は、前記ユーザ端末に固有の電話番号である。
上記構成によれば、ユーザ端末の宛先としてメールアドレス等を用いる場合と比較して、表示端末に入力される宛先の内容が簡易になるため、ユーザの利便性が高められる。
【００１４】
本開示の技術における情報配信システムの一態様は、表示端末と、送信サーバと、前記表示端末および前記送信サーバに接続された情報管理サーバと、を含む。前記表示端末は、コンテンツを紹介する情報が表示される表示部と、ユーザ端末の宛先が入力される入力部とを備える。前記情報管理サーバは、前記ユーザ端末の宛先を前記表示端末から受信する受信部と、前記受信部が受信した前記ユーザ端末の宛先を用いて、前記送信サーバに対して前記ユーザ端末宛に前記コンテンツを示す情報の送信を要求する要求データを生成する生成部と、前記要求データを前記送信サーバに送信する送信部とを備える。前記送信サーバは、前記情報管理サーバから受信した前記要求データに基づいて、前記コンテンツを示す情報を前記ユーザ端末宛に送信する。
【００１５】
本開示の技術における情報配信方法の一態様は、コンテンツを紹介する情報が表示される表示端末に入力されたユーザ端末の宛先を、表示端末から情報管理サーバに送信するステップと、前記情報管理サーバが受信した前記ユーザ端末の宛先を用いて、送信サーバに対して前記ユーザ端末宛に前記コンテンツを示す情報の送信を要求する要求データを生成するステップと、前記要求データを前記情報管理サーバから前記送信サーバに送信するステップと、前記要求データに基づいて、前記コンテンツを示す情報を前記送信サーバから前記ユーザ端末宛に送信するステップと、を含む。
【００１６】
上記情報配信システムおよび情報配信方法によれば、コンテンツを紹介する情報が表示される表示端末に入力されたユーザ端末の宛先に、コンテンツを示す情報が送信される。したがって、配信される情報であるコンテンツを示す情報と配信の対象者であるユーザとの関連性が高められる。
【発明の効果】
【００１７】
本開示の技術によれば、配信される情報と配信の対象者との関連性を高めることができる。
【図面の簡単な説明】
【００１８】
【図１】本開示の技術における第１の実施形態での情報管理サーバと情報管理サーバを含む情報配信システムの構成を示すシステム構成図である。
【図２】第１の実施形態におけるコンテンツデータベースに登録されるコンテンツデータの構成を示す図である。
【図３】第１の実施形態における配信履歴データベースに登録される配信履歴データの構成を示す図である。
【図４】第１の実施形態の情報配信システムによるコンテンツの提供の手順であって、表示端末への入力からＳＭＳメールの送信までの手順を示すシーケンス図である。
【図５】第１の実施形態の情報配信システムによるコンテンツの提供の手順であって、ＳＭＳメールの送信からコンテンツの提供までの手順を示すシーケンス図である。
【図６】本開示の技術における第２の実施形態でのコンテンツデータベースに登録されるコンテンツデータの構成を示す図である。
【発明を実施するための形態】
【００１９】
（第１の実施形態）
図１〜図５を参照して、情報管理サーバ、情報配信システム、および、情報配信方法の第１の実施形態について説明する。まず、図１を参照して、情報配信システムの構成、および、情報配信システムに含まれる情報管理サーバの構成について説明する。
【００２０】
図１に示されるように、情報管理サーバ１０は、ネットワークＮＷを介して、表示端末２０およびＳＭＳ送信サーバ３０に接続されている。ネットワークＮＷは、コンピュータネットワークや携帯電話通信網等の相互に異なる複数のネットワークを含み、ネットワークＮＷには、ＳＭＳ（ショートメッセージサービス）を提供するセンターサーバ４０、ユーザ端末５０、および、コンテンツ提供サーバ６０が接続されている。
【００２１】
表示端末２０は、例えば、デジタルサイネージであって、画像や文字情報が表示される表示部２１と、タッチパネル等からなる入力部２２とを備えている。表示端末２０は、駅や小売店舗等の公共の場に設置される。ネットワークＮＷには、１つ以上の表示端末２０が接続されている。
【００２２】
表示部２１に表示される表示内容は、表示端末２０が備える端末制御部２３によって制御され、表示部２１には、複数のコンテンツの各々について、コンテンツを紹介する情報が表示される。表示内容の表示に用いられるデータは、端末制御部２３がネットワークＮＷを介して取得してもよく、表示端末２０が備える端末記憶部２４に予め記憶されていてもよい。コンテンツを紹介する情報は、情報配信システムによってユーザに提供することができるコンテンツを説明する情報である。コンテンツを紹介する情報は、コンテンツそのものを含む情報であってもよく、コンテンツの概要やコンテンツの種類、これらの組み合わせであってもよい。要するに、コンテンツを紹介する情報は、ユーザに提供されるコンテンツを表示部２１で紹介し、ユーザに提供されるコンテンツをユーザに把握させる情報であればよい。
【００２３】
端末記憶部２４は、複数のコンテンツの各々に割り当てられた識別情報であるコンテンツＩＤを記憶している。さらに、端末記憶部２４は、コンテンツＩＤと対応付けられた状態で、コンテンツの管理データを記憶している。管理データには、コンテンツの提供元の識別情報である運営者ＩＤと、コンテンツが属するイベントの識別情報である催事ＩＤとが含まれる。また、端末記憶部２４は、各表示端末２０に固有のデータである端末データを記憶している。端末データには、表示端末２０が設置されている区域の識別情報である区域ＩＤが含まれ、また、表示端末２０の設置されている位置を示す情報が表示端末２０の識別情報である端末ＩＤとして含まれる。
【００２４】
例えば、表示端末２０がスーパーの各店舗に設置され、スーパーの経営団体によって「春の食材キャンペーン」が開催されて、コンテンツとして各食材を用いたレシピが提供されるとする。この場合、表示端末２０には、コンテンツを紹介する情報として、提供可能なレシピの種類やレシピの内容が表示される。各レシピにはコンテンツＩＤが割り当てられ、スーパーの経営団体に運営者ＩＤが割り当てられ、「春の食材キャンペーン」に催事ＩＤが割り当てられる。また、スーパーの店舗ごとに区域ＩＤが割り当てられ、表示端末２０ごとに端末ＩＤが割り当てられる。表示端末２０は店舗内の所定の位置に固定され、端末ＩＤから、店舗内における表示端末２０の設置位置が判別できる。
【００２５】
なお、管理データは、運営者ＩＤと催事ＩＤに限らず、コンテンツと対応付けられてコンテンツの管理に用いられる他のデータを含んでもよい。また、端末データは、表示端末２０と対応付けられて表示端末２０の管理に用いられる他のデータを含んでもよい。
【００２６】
ユーザは、表示部２１に表示されるコンテンツを紹介する情報に基づいて、ユーザが取得を希望するコンテンツを選択して入力部２２に入力する。さらに、ユーザは、コンテンツを示す情報の送信先となるユーザ端末５０の宛先を入力部２２に入力する。本実施形態では、ユーザ端末５０は、スマートフォンや携帯電話等、端末に固有の携帯電話番号が割り当てられている端末であり、ＳＭＳメールの受信が可能な端末である。ユーザ端末５０の宛先としては、ＳＭＳメールの宛先である携帯電話番号が用いられる。
【００２７】
端末制御部２３は、入力部２２にて選択されたコンテンツに対応するコンテンツＩＤと、コンテンツＩＤに対応付けられた管理データおよび端末データとを端末記憶部２４から取得する。そして、端末制御部２３は、これらのコンテンツＩＤ、管理データ、端末データ、および、入力部２２に入力された携帯電話番号を情報管理サーバ１０へ送信する。
【００２８】
ＳＭＳ送信サーバ３０は、ＡＳＰ（アプリケーションサービスプロバイダ）等が提供するサーバであって、情報管理サーバ１０からの要求を受けて、指定された宛先に指定された内容のＳＭＳメールを送信する。ＳＭＳ送信サーバ３０から送信されたＳＭＳメールは、センターサーバ４０に中継されて、ユーザ端末５０に送られる。
【００２９】
コンテンツ提供サーバ６０は、情報配信システムによってユーザに提供されるコンテンツのデータを格納するサーバである。ユーザは、ユーザ端末５０からコンテンツ提供サーバ６０にアクセスして、Ｗｅｂページを閲覧したり、動画をダウンロードしたりすることによって、コンテンツを取得する。
【００３０】
情報管理サーバ１０は、通信部１１と、サーバ記憶部１２と、サーバ制御部１３とを備えている。通信部１１は、情報管理サーバ１０と接続先の装置との接続処理を実行する。また、通信部１１は、受信部および送信部として機能し、接続先となる装置との間でデータの送信および受信を行う。
【００３１】
サーバ記憶部１２は、コンテンツデータベース１２ａと、リダイレクトデータベース１２ｂと、配信履歴データベース１２ｃと、を記憶している。
コンテンツデータベース１２ａには、コンテンツＩＤとコンテンツを示す情報とが対応付けられたコンテンツデータが登録されている。コンテンツを示す情報は、コンテンツの所在を示す情報であってもよく、コンテンツそのものとしての画像や文字情報であってもよい。要するに、コンテンツを示す情報は、ユーザによって選択されたコンテンツをユーザ端末５０で表現させるための情報である。コンテンツの所在を示す情報は、例えば、コンテンツが表示されるＷｅｂページのＵＲＬに具体化される。本実施形態では、コンテンツを示す情報は、コンテンツが表示されるＷｅｂページであるコンテンツページの短縮ＵＲＬである。また、コンテンツデータでは、コンテンツＩＤと、ＳＭＳ送信サーバ３０に送信を要求するＳＭＳメールの作成に必要なメールデータとが対応付けられている。
【００３２】
リダイレクトデータベース１２ｂには、上記短縮ＵＲＬに対応するＷｅｂページであるリダイレクトページのデータが登録されている。ユーザ端末５０が短縮ＵＲＬからリダイレクトページにアクセスすると、コンテンツページへリダイレクトされる。
【００３３】
配信履歴データベース１２ｃには、ユーザによる表示端末２０でのコンテンツの選択からユーザ端末５０でのコンテンツの取得までの一連の流れの中で、情報管理サーバ１０が取得するデータが配信履歴データとして登録される。
【００３４】
サーバ制御部１３は、生成部１３ａと解析部１３ｂと登録部１３ｃとを備えている。
生成部１３ａは、表示端末２０から受信したコンテンツＩＤに基づいて、コンテンツデータベース１２ａにて当該コンテンツＩＤと対応付けられているコンテンツを示す情報とメールデータとを特定する。そして、生成部１３ａは、特定されたコンテンツを示す情報およびメールデータと、表示端末２０から受信した携帯電話番号とを用いて、ＳＭＳ送信サーバ３０にＳＭＳメールの送信を要求する際に必要なデータである要求データを生成する。生成された要求データは、通信部１１からＳＭＳ送信サーバ３０へ送信される。
【００３５】
解析部１３ｂは、上記リダイレクトページに対するアクセス解析を行って、リダイレクトページにアクセスしたユーザ端末５０のＯＳの種類とアクセス時間とを取得する。
登録部１３ｃは、情報管理サーバ１０が取得した各種のデータを配信履歴データベース１２ｃに登録する。登録部１３ｃは、例えば、表示端末２０から受信した管理データや端末データ等のデータ、ＳＭＳ送信サーバ３０から受信したＳＭＳメールの送信結果、解析部１３ｂによる解析結果等のデータを配信履歴データベース１２ｃに登録する。
【００３６】
図２を参照して、コンテンツデータベース１２ａに登録されるコンテンツデータのデータ構成について説明する。
図２に示されるように、コンテンツデータＤａでは、コンテンツＩＤに、コンテンツＵＲＬと、コンテンツを示す情報としてのＳＭＳ用ＵＲＬと、メールデータとしてのＳＭＳ文面とが対応付けられている。コンテンツＵＲＬは、コンテンツＩＤに対応するコンテンツが表示されるコンテンツページのＵＲＬである。コンテンツページは、コンテンツ提供サーバ６０によって提供される。ＳＭＳ用ＵＲＬは、コンテンツＩＤに対応付けられているコンテンツページの短縮ＵＲＬである。ＳＭＳ文面は、ＳＭＳ送信サーバ３０から送信させるＳＭＳメールにおける本文である。
【００３７】
サーバ制御部１３の生成部１３ａは、表示端末２０から受信したコンテンツＩＤに基づいて、コンテンツデータＤａにて当該コンテンツＩＤと対応付けられているＳＭＳ用ＵＲＬとＳＭＳ文面とを特定する。そして、生成部１３ａは、特定されたデータを用いて、ＳＭＳ送信サーバ３０にＳＭＳメールの送信を要求する要求データを生成する。このとき、生成部１３ａは、要求データにおいて、表示端末２０から受信した携帯電話番号をＳＭＳメールの宛先に設定し、特定されたＳＭＳ用ＵＲＬを特定されたＳＭＳ文面に組み込んだ文字列をＳＭＳメールの本文に設定する。なお、要求データには、ＳＭＳ送信サーバ３０にＳＭＳメールの送信を要求する際に必要な認証情報等のデータが含まれる。また、送信されるＳＭＳメールのタイトルは、ＳＭＳ送信サーバ３０にて適宜設定される。
【００３８】
例えば、図２にて、「ＣＡ０００１」というコンテンツＩＤには、「ｈｔｔｐ：／／ｗｗｗ．ＸＸＸＸＸ」というコンテンツＵＲＬと、「ｈｔｔｐ：／／ａｂｃ」というＳＭＳ用ＵＲＬと、「下記ＵＲＬをクリックして下さい。」というＳＭＳ文面とが対応付けられている。例えば、「ＣＡ０００１」というコンテンツＩＤが筍を用いたレシピのコンテンツと対応しているとき、上記コンテンツＵＲＬは、筍を用いたレシピが表示されるコンテンツページのＵＲＬであり、上記ＳＭＳ用ＵＲＬは当該コンテンツページの短縮ＵＲＬである。また、「ＣＡ０００１」というコンテンツＩＤを表示端末２０から受信したとき、生成部１３ａは、ＳＭＳメールの本文に「下記ＵＲＬをクリックして下さい。ｈｔｔｐ：／／ａｂｃ」を設定して要求データを生成する。
【００３９】
また、例えば、「ＣＡ０００１」というコンテンツＩＤと「ＣＡ０００２」というコンテンツＩＤとが同じイベントに属するコンテンツに対応している場合等には、各々のコンテンツＩＤに対して同じＳＭＳ文面が対応付けられてもよい。すなわち、互いに異なるコンテンツＩＤには、互いに異なるコンテンツＵＲＬと互いに異なるＳＭＳ用ＵＲＬとが対応付けられる。一方、互いに異なるコンテンツＩＤに同一のＳＭＳ文面が対応付けられてもよい。
【００４０】
図３を参照して、配信履歴データベース１２ｃに登録される配信履歴データのデータ構成について説明する。
図３に示されるように、配信履歴データＤｂは、受付日時、運営者ＩＤ、催事ＩＤ、区域ＩＤ、端末ＩＤ、コンテンツＩＤ、配信先携帯電話番号、配信先通信事業者、ＳＭＳ送信結果、配信先ＯＳ、および、ＳＭＳ開封日時のデータ項目を有している。
【００４１】
受付日時は、情報管理サーバ１０が、表示端末２０から、コンテンツＩＤ、管理データ、端末データ、および、携帯電話番号を受信した日時である。運営者ＩＤと催事ＩＤとは、上述のように、情報管理サーバ１０が表示端末２０から受信する管理データに含まれるデータである。区域ＩＤと端末ＩＤとは、上述のように、情報管理サーバ１０が表示端末２０から受信する端末データに含まれるデータである。コンテンツＩＤと配信先携帯番号は、情報管理サーバ１０が表示端末２０から受信するコンテンツＩＤと携帯電話番号である。配信先通信事業者は、ユーザ端末５０が利用する通信網を提供する通信事業者である。配信先通信事業者は、情報管理サーバ１０が表示端末２０から受信する携帯電話番号に基づいて、登録部１３ｃによって判定される。
【００４２】
受付日時、運営者ＩＤ、催事ＩＤ、区域ＩＤ、端末ＩＤ、コンテンツＩＤ、配信先携帯電話番号、および、配信先通信事業者は、情報管理サーバ１０が、表示端末２０から、コンテンツＩＤ、管理データ、端末データ、および、携帯電話番号を受信したときに、登録部１３ｃによって登録される。
【００４３】
ＳＭＳ送信結果は、ＳＭＳ送信サーバ３０がユーザ端末５０宛に送信したＳＭＳメールが、ユーザ端末５０に届いたか否かを示すデータである。ＳＭＳ送信結果は、ＳＭＳ送信サーバ３０がＳＭＳメールを送信した後に、ＳＭＳ送信サーバ３０から情報管理サーバ１０に通知され、登録部１３ｃによって登録される。
【００４４】
配信先ＯＳは、受信したＳＭＳメールに記載されているＳＭＳ用ＵＲＬをクリックすることによってリダイレクトページにアクセスしたユーザ端末５０が搭載しているＯＳの種類である。ＳＭＳ開封日時は、ユーザ端末５０が受信したＳＭＳメールに記載されているＳＭＳ用ＵＲＬをクリックすることによってリダイレクトページにアクセスした日時である。配信先ＯＳとＳＭＳ開封日時は、解析部１３ｂによるリダイレクトページのアクセス解析によって取得され、登録部１３ｃによって登録される。
【００４５】
図４および図５を参照して、情報配信システムによるコンテンツの提供の手順について説明する。
図４に示されるように、まず、ユーザが表示端末２０にて、コンテンツの選択とユーザ端末５０の携帯電話番号の入力とを行う（ステップＳ１０）。入力がなされると、表示端末２０は、選択されたコンテンツに対応するコンテンツＩＤと、コンテンツＩＤに対応する運営者ＩＤおよび催事ＩＤの管理データと、区域ＩＤおよび端末ＩＤの端末データと、入力された携帯電話番号とを情報管理サーバ１０に送信する（ステップＳ１１）。
【００４６】
表示端末２０からこれらのデータを受信すると、情報管理サーバ１０の登録部１３ｃは、これらのデータを受信した日時を受付日時として配信履歴データベース１２ｃに登録する。また、登録部１３ｃは、受信したコンテンツＩＤ、運営者ＩＤ、催事ＩＤ、区域ＩＤ、端末ＩＤ、および、携帯電話番号を配信履歴データベース１２ｃに登録する。また、登録部１３ｃは、受信した携帯電話番号から通信事業者を判定して、判定した通信事業者を配信先通信事業者として配信履歴データベース１２ｃに登録する（ステップＳ１２）。
【００４７】
また、表示端末２０からのデータの受信を受けて、情報管理サーバ１０の生成部１３ａは、コンテンツデータベース１２ａを参照して、受信したコンテンツＩＤと対応付けられているＳＭＳ用ＵＲＬとＳＭＳ文面とを特定する（ステップＳ１３）。生成部１３ａは、特定されたデータを用いて、ＳＭＳ送信サーバ３０にＳＭＳメールの送信を要求する要求データを生成する（ステップＳ１４）。要求データが生成されると、情報管理サーバ１０は、要求データをＳＭＳ送信サーバ３０に送信する（ステップＳ１５）。
【００４８】
要求データを受信すると、ＳＭＳ送信サーバ３０は、要求データを解釈して、指定された宛先に指定された内容のＳＭＳメールを送信する（ステップＳ１６）。ＳＭＳ送信サーバ３０から送信されたＳＭＳメールは、各通信事業者のセンターサーバ４０に中継されて、ユーザ端末５０に送信される（ステップＳ１７）。
【００４９】
図５に示されるように、先のステップＳ１７にてＳＭＳメールの中継処理を行うと、センターサーバ４０は、ＳＭＳ送信結果を含めた処理結果をＳＭＳ送信サーバ３０へ送信する（ステップＳ１８）。ＳＭＳ送信サーバ３０は、センターサーバ４０から受信したＳＭＳ送信結果を含めて、ステップＳ１６におけるＳＭＳメールの送信処理の処理結果を情報管理サーバ１０へ送信する（ステップＳ１９）。
【００５０】
ＳＭＳ送信サーバ３０から処理結果を受信すると、情報管理サーバ１０の登録部１３ｃは、ＳＭＳ送信サーバ３０から受信したＳＭＳ送信結果を配信履歴データベース１２ｃに登録する（ステップＳ２０）。
【００５１】
ユーザは、ユーザ端末５０にて、ＳＭＳ送信サーバ３０から送られたＳＭＳメールを開封し、ＳＭＳの本文に記載されているＳＭＳ用ＵＲＬをクリックする（ステップＳ２１）。これにより、ユーザ端末５０は、ＳＭＳ用ＵＲＬに対応するリダイレクトページへのアクセス要求を情報管理サーバ１０に送信する（ステップＳ２２）。アクセス要求を受けた情報管理サーバ１０は、リダイレクト先のコンテンツＵＲＬを含むリダイレクト情報をユーザ端末５０に送信する（ステップＳ２３）。
【００５２】
ユーザ端末５０は、受信したリダイレクト情報に基づいて、コンテンツＵＲＬに対応するコンテンツページへのアクセス要求をコンテンツ提供サーバ６０に送信する（ステップＳ２４）。アクセス要求を受けたコンテンツ提供サーバ６０は、コンテンツページの表示データをユーザ端末５０に送信する（ステップＳ２５）。ユーザ端末５０は、受信した表示データに基づいて、コンテンツページを表示する（ステップＳ２６）。これにより、ユーザがコンテンツを取得する。
【００５３】
情報管理サーバ１０では、解析部１３ｂがリダイレクトページのアクセス解析を行って、リダイレクトページにアクセスしたユーザ端末５０のＯＳの種類と、ユーザ端末５０がりダイレクトページにアクセスした日時を取得する（ステップＳ２７）。登録部１３ｃは、解析部１３ｂが取得したＯＳの種類とアクセスの日時とを、配信先ＯＳとＳＭＳ開封時間として配信履歴データベース１２ｃに登録する（ステップＳ２８）。
【００５４】
本実施形態における情報管理サーバ１０、情報配信システム、および、情報配信方法の作用について説明する。
表示端末２０は、コンテンツを紹介する情報を表示し、ユーザによって選択されたコンテンツに対応するコンテンツＩＤと、ユーザ端末５０の携帯電話番号とを情報管理サーバ１０に送信する。情報管理サーバ１０は、コンテンツＩＤと携帯電話番号とを表示端末２０から受信し、ＳＭＳ送信サーバ３０に対するＳＭＳメールの送信の要求に際し、受信されたコンテンツＩＤと携帯電話番号とを用いる。そして、情報配信システムでは、表示端末２０に入力されたユーザ端末５０の携帯電話番号宛にＳＭＳメールが送信され、そのＳＭＳメールには、表示端末２０の表示内容に基づいて選択されたコンテンツと対応するコンテンツを示す情報が含まれる。結果として、受信したＳＭＳメールにおけるコンテンツを示す情報に基づいて、ユーザの選択したコンテンツを紹介する情報に応じたコンテンツがユーザに提供される。したがって、表示端末２０が表示する情報から導かれるユーザの希望に沿った情報が、そのユーザに送信されるため、配信される情報であるコンテンツを示す情報と配信の対象者であるユーザとの関連性が高められる。その結果、表示端末２０の広告媒体としての有用度も高められる。
【００５５】
この際に、情報管理サーバ１０は、コンテンツＩＤとコンテンツを示す情報とを対応付けたコンテンツデータを保有し、表示端末２０から受信したコンテンツＩＤに基づいて、ユーザ端末５０に送信されるコンテンツを示す情報を特定する。したがって、表示端末２０に複数のコンテンツを紹介する情報を表示させ、ユーザの選択に応じて、ユーザごとに異なるコンテンツを示す情報を配信することが可能となるため、提供されるコンテンツを多様化することができる。
【００５６】
また、ユーザ端末５０にコンテンツを示す情報を送信する手段として、携帯電話番号のみを宛先とするＳＭＳメールが用いられる。したがって、ユーザ端末５０の宛先として文字列からなるメールアドレス等を用いる場合と比較して、表示端末２０へ入力するユーザ端末５０の宛先の内容が簡易となる。そのため、表示端末２０への宛先の入力が容易となるとともに、誤入力の発生を抑えることができる。さらに、ＳＭＳメールの送信にあたり、情報管理サーバ１０から直接ユーザ端末５０にＳＭＳメールを送信せず、ＳＭＳ送信サーバ３０を経由してＳＭＳメールを送信している。すなわち、送信内容を決定する機能と送信そのものを行う機能とを別のサーバにて行っている。そのため、各サーバの機能を特化させて各機能について細かな設定を行うことが可能となり、こうした場合にもサーバの構成が過度に複雑になることを抑えることができる。
【００５７】
また、コンテンツを示す情報として、コンテンツページの短縮ＵＲＬが用いられる。したがって、送信可能な文字数に制限があるＳＭＳメールであっても、適切にコンテンツを示す情報を送信することができる。また、リダイレクトページを情報管理サーバ１０内に設けることによって、コンテンツページが情報管理サーバ１０によって管理されない場合であっても、リダイレクトページのアクセス解析によって、ユーザ端末５０によるコンテンツを示す情報の利用状況を解析することができる。
【００５８】
また、ユーザによる表示端末２０でのコンテンツの選択からユーザ端末５０でのコンテンツの取得までの一連の流れの中で、情報管理サーバ１０が取得するデータが配信履歴データとして登録される。したがって、配信履歴データを解析することによって、ユーザによるコンテンツの選択の傾向や、コンテンツを示す情報の利用状況等を分析して、マーケティングに利用することも可能となる。例えば、受付日時から、ユーザの利用度の高い時間帯が解析可能であり、区域ＩＤや端末ＩＤから、ユーザの利用度が高い表示端末２０の設置場所の解析が可能であり、運営者ＩＤ、催事ＩＤ、コンテンツＩＤから、ユーザの利用度の高いイベントやコンテンツが解析可能である。また、例えば、ＳＭＳ送信結果にて、ＳＭＳメールが不達である場合には、情報管理サーバ１０がＳＭＳ送信サーバ３０に再びＳＭＳ送信結果を確認するようにしてもよい。
【００５９】
以上説明したように、第１の実施形態によれば、以下の効果が得られる。
（１）表示端末２０に入力されたユーザ端末５０の宛先に、コンテンツを示す情報が送信されるため、配信される情報と配信の対象者との関連性が高められる。
【００６０】
（２）コンテンツデータにおいて、コンテンツＩＤとコンテンツを示す情報とが対応付けられ、表示端末２０から受信したコンテンツＩＤに基づいて、ユーザ端末５０に送信されるコンテンツを示す情報が特定される。したがって、複数のコンテンツの中からユーザの選択に応じたコンテンツを示す情報を配信することが可能となる。そのため、提供されるコンテンツを多様化することができる。
【００６１】
（３）情報管理サーバ１０の取得するデータが配信履歴データとして登録されるため、蓄積されたデータを情報の配信状況の解析に利用することが可能となる。
（４）ユーザ端末５０の宛先として携帯電話番号が用いられるため、ユーザ端末５０の宛先としてメールアドレス等を用いる場合と比較して、表示端末２０に入力される宛先の内容が簡易になる。したがって、ユーザの利便性が高められる。
【００６２】
（第２の実施形態）
図６を参照して、第２の実施形態の情報管理サーバ、情報配信システム、および、情報配信方法について説明する。なお、第２の実施形態では、主としてコンテンツデータの構成が第１の実施形態と異なるため、以下では第１の実施形態との相違点を中心に説明し、第１の実施形態と同様の構成には同一の符号を付してその説明を省略する。
【００６３】
図６に示されるように、コンテンツデータＤａでは、コンテンツＩＤに、配信期間と、コンテンツＵＲＬと、ＳＭＳ用ＵＲＬと、ＳＭＳ文面とが対応付けられている。詳細には、１つのコンテンツＩＤに、複数の配信期間が対応付けられ、それぞれの配信期間に、コンテンツＵＲＬと、ＳＭＳ用ＵＲＬと、ＳＭＳ文面とが対応付けられている。すなわち、コンテンツデータＤａには、コンテンツＩＤとコンテンツを示す情報との対応付けが期間ごとに格納されている。
【００６４】
サーバ制御部１３の生成部１３ａは、表示端末２０から受信したコンテンツＩＤと、コンテンツＩＤを受信した日時に基づいて、当該コンテンツＩＤおよび当該受信日時が含まれる配信期間と対応付けられているＳＭＳ用ＵＲＬとＳＭＳ文面とを特定する。そして、生成部１３ａは、特定されたデータを用いて、ＳＭＳ送信サーバ３０にＳＭＳメールの送信を要求する要求データを生成する。
【００６５】
例えば、「ＣＡ０００１」というコンテンツＩＤには、「２０１３年４月１日９：００〜２０１３年４月１４日２１：５９」という配信期間と、「２０１３年４月１４日２２：００〜」という配信期間とが対応付けられている。そして、「２０１３年４月１日９：００〜２０１３年４月１４日２１：５９」という配信期間には「ｈｔｔｐ：／／ｗｗｗ．ＸＸＸＸＸ」というコンテンツＵＲＬと、「ｈｔｔｐ：／／ａｂｃ」というＳＭＳ用ＵＲＬと、「下記ＵＲＬをクリックして下さい。」というＳＭＳ文面とが対応付けられている。また、「２０１３年４月１４日２２：００〜」という配信期間には、「ｈｔｔｐ：／／ｗｗｗ．ＸＸＸＹＹ」というコンテンツＵＲＬと、「ｈｔｔｐ：／／ｘｙｚ」というＳＭＳ用ＵＲＬと、「下記ＵＲＬをクリックして下さい。」というＳＭＳ文面とが対応付けられている。
【００６６】
例えば、「ＣＡ０００１」というコンテンツＩＤが筍を用いたレシピのコンテンツと対応しており、当該コンテンツが属するイベントである「春の食材キャンペーン」の開催期間、すなわちコンテンツの提供が可能な期間が「２０１３年４月１日９：００〜２０１３年４月１４日２１：５９」であるとする。キャンペーン期間に相当する上記配信期間「２０１３年４月１日９：００〜２０１３年４月１４日２１：５９」に対応付けられているコンテンツＵＲＬは、筍を用いたレシピが表示されるコンテンツページのＵＲＬであり、ＳＭＳ用ＵＲＬは当該コンテンツページの短縮ＵＲＬである。また、キャンペーン期間の終了後に相当する上記配信期間「２０１３年４月１４日２２：００〜」に対応付けられているコンテンツＵＲＬは、キャンペーンの終了によりレシピが提供できないことを表示するコンテンツページのＵＲＬであり、ＳＭＳ用ＵＲＬは当該コンテンツページの短縮ＵＲＬである。
【００６７】
したがって、キャンペーン期間中に、表示端末２０からコンテンツＩＤ「ＣＡ０００１」を受信した場合には、生成部１３ａは、ＳＭＳメールの本文に「下記ＵＲＬをクリックして下さい。ｈｔｔｐ：／／ａｂｃ」を設定して要求データを生成する。その結果、ユーザがユーザ端末５０にて受信したＳＭＳメールに記載されているＵＲＬをクリックすると、ユーザ端末５０には、筍を用いたレシピが掲載されたコンテンツページが表示される。
【００６８】
一方、キャンペーン期間の終了後に表示端末２０からコンテンツＩＤ「ＣＡ０００１」を受信した場合には、生成部１３ａは、ＳＭＳメールの本文に「下記ＵＲＬをクリックして下さい。ｈｔｔｐ：／／ｘｙｚ」を設定して要求データを生成する。その結果、ユーザがユーザ端末５０にて受信したＳＭＳメールに記載されているＵＲＬをクリックすると、ユーザ端末５０には、キャンペーンが終了してコンテンツが存在しないことを通知するコンテンツページが表示される。
【００６９】
すなわち、コンテンツＩＤとコンテンツを示す情報との対応付けが、期間に応じて切り替えられ、生成部１３ａは、同一のコンテンツＩＤに対して期間に応じたコンテンツを示す情報を特定する。なお、本実施形態では、コンテンツを示す情報は、コンテンツが表示されるＷｅｂページの短縮ＵＲＬ、もしくは、コンテンツが存在しない旨を通知するＷｅｂページの短縮ＵＲＬである。
【００７０】
なお、互いに異なるコンテンツＩＤに対応付けられる複数のコンテンツＵＲＬおよびＳＭＳ用ＵＲＬには、同じＵＲＬが含まれていてもよい。例えば、図６にて「ＣＡ０００１」というコンテンツＩＤにおける「２０１３年４月１４日２２：００〜」という配信期間に対応付けられているコンテンツＵＲＬは、「ＣＡ０００２」というコンテンツＩＤにおける「２０１３年４月１４日２２：００〜」という配信期間に対応付けられているコンテンツＵＲＬと同じＵＲＬである。また、「ＣＡ０００１」というコンテンツＩＤにおける「２０１３年４月１４日２２：００〜」という配信期間に対応付けられているＳＭＳ用ＵＲＬは、「ＣＡ０００２」というコンテンツＩＤにおける「２０１３年４月１４日２２：００〜」という配信期間に対応付けられているＳＭＳ用ＵＲＬと同じＵＲＬである。
【００７１】
こうした形態は、例えば、イベントの終了後には、イベントに属する全てのコンテンツに対応するコンテンツを示す情報として、コンテンツが存在しないことを通知する同一のＷｅｂページの短縮ＵＲＬが設定される場合等に用いられる。
【００７２】
本実施形態の情報配信システムによるコンテンツの提供は、先の図４および図５を用いて説明されたコンテンツの提供と同様の手順で行われる。ただし、ステップＳ１４においては、情報管理サーバ１０の生成部１３ａは、受信したコンテンツＩＤおよびコンテンツＩＤを受信した日時を用いて、コンテンツデータＤａにてコンテンツＩＤおよび受信日時が含まれる配信期間と対応付けられているＳＭＳ用ＵＲＬとＳＭＳ文面とを特定する。
【００７３】
本実施形態における情報管理サーバ１０、情報配信システム、および、情報配信方法の作用について説明する。
コンテンツデータでは、コンテンツＩＤと配信期間とコンテンツを示す情報とが対応付けられ、コンテンツＩＤとコンテンツＩＤを表示端末２０から受信した日時とに基づいて、ユーザ端末５０に送信されるコンテンツを示す情報が特定される。したがって、情報管理サーバ１０が表示端末２０から同一のコンテンツＩＤを受信した場合であっても、特定されるコンテンツを示す情報を日時によって異ならせることができる。すなわち、ユーザが表示端末にて同一のコンテンツを選択した場合であっても、ユーザ端末５０に送信されるコンテンツを示す情報を日時によって異ならせることができる。そのため、配信される情報を多様化することができる。
【００７４】
以上説明したように、第２の実施形態によれば、上記（１）〜（４）の効果に加えて、以下の効果が得られる。
（５）コンテンツデータにて、コンテンツＩＤと配信期間とコンテンツを示す情報とが対応付けられ、コンテンツＩＤとコンテンツＩＤの受信日時とに基づいてコンテンツを示す情報が特定されるため、配信される情報を多様化することができる。
【００７５】
（変形例）
上記実施形態は、以下のように変更して実施することが可能である。
・表示端末２０は、１つのコンテンツを紹介する情報に対して相互に異なる複数の携帯電話番号を入力し、情報管理サーバ１０は、複数のユーザ端末５０の各々に対して同じＳＭＳメールを送信することを要求してもよい。この場合、生成部１３ａは、要求データにおいて、ＳＭＳメールの宛先に、表示端末２０から受信した複数の携帯電話番号を設定する。あるいは、生成部１３ａは、表示端末２０から受信した携帯電話番号ごとに要求データを生成してもよい。こうした構成によれば、ユーザが、同一のコンテンツを示す情報を、複数のユーザ端末５０にて受け取りたい場合に、ユーザ端末５０の宛先ごとにコンテンツの選択を行う手間が省けるため、ユーザの利便性が向上する。
【００７６】
・表示端末２０は、相互に異なる複数のコンテンツに対する選択を可能に構成され、選択された複数のコンテンツの各々に対応するコンテンツＩＤを情報管理サーバ１０に送信してもよい。この場合、生成部１３ａは、表示端末２０から受信した複数のコンテンツＩＤの各々に対応付けられているＳＭＳ用ＵＲＬをそれぞれ特定する。そして、生成部１３ａは、ＳＭＳ用ＵＲＬごとに要求データを生成する。あるいは、生成部１３ａは、複数のＳＭＳ用ＵＲＬを１つの要求データにおけるＳＭＳメールの本文に設定してもよい。こうした構成によれば、ユーザが複数のコンテンツを示す情報を受け取りたい場合に、コンテンツごとにユーザ端末５０の宛先を入力する手間が省けるため、ユーザの利便性が向上する。
【００７７】
・情報管理サーバ１０のサーバ制御部１３は、要求データをＳＭＳ送信サーバ３０に送信する時間を制御してもよい。例えば、サーバ制御部１３は、同一あるいは異なる表示端末２０から所定の時間内に送信された複数のコンテンツＩＤと携帯電話番号とに基づいて複数の要求データを生成し、宛先に設定された携帯電話番号が同一であると判定される要求データを連続的にＳＭＳ送信サーバに送信する。あるいは、生成部１３ａは、同一のあるいは異なる表示端末２０から所定の時間内に送信された複数のコンテンツＩＤのうち、同一の携帯電話番号とともに送信されたコンテンツＩＤについては、要求データの生成を同時に行ってもよい。あるいは、生成部１３ａは、所定の時間内に、同一の携帯電話番号とともに送信されたコンテンツＩＤと対応付けられているＳＭＳ用ＵＲＬを１つの要求データにおけるＳＭＳメールの本文に設定してもよい。こうした構成によれば、ユーザが、所定の時間内に、同一のあるいは異なる表示端末２０にて選択したコンテンツに対応するコンテンツを示す情報が、所定の時間ごとにまとめてユーザ端末５０に送信されるため、ユーザの利便性が高められる。
【００７８】
なお、上記構成において、複数のコンテンツＩＤの中に同一のコンテンツＩＤが含まれると判断される場合には、生成部１３ａは、同一のコンテンツＩＤのうちの１つのコンテンツＩＤについてのみ、ＳＭＳ用ＵＲＬを特定して要求データを生成してもよい。こうした構成によれば、ユーザ端末５０に重複した情報が送信されることを抑えることができる。
【００７９】
また、上記構成において、情報管理サーバ１０は、複数のコンテンツを示す情報を１つのユーザ端末５０にまとめて送信するために、まとめる対象とする複数のコンテンツＩＤを、所定の時間内に、予め設定された端末ＩＤを有する表示端末２０から送信されたコンテンツＩＤとしてもよい。こうした構成によれば、例えば、ユーザが特定の範囲内に設置されている表示端末２０にてコンテンツの選択を複数回行った場合に、コンテンツを示す情報がまとめてユーザ端末５０に送信される。
【００８０】
・情報管理サーバ１０のサーバ制御部１３にて、要求データをＳＭＳ送信サーバ３０に送信する時間が制御される他の態様として、コンテンツデータにおいて、コンテンツＩＤとコンテンツ配信時間とが対応付けられてもよい。そして、コンテンツＩＤに基づいて生成された要求データが、コンテンツＩＤと対応付けられたコンテンツ配信時間に、情報管理サーバ１０からＳＭＳ送信サーバ３０へ送信される。これによれば、コンテンツに応じて設定されたコンテンツ配信時間に、コンテンツを示す情報がユーザ端末５０に送信されるため、情報の配信についての自由度が高められる。
【００８１】
・コンテンツデータでは、コンテンツＩＤと、少なくともコンテンツを示す情報とが対応付けられていればよい。例えば、先の図２において、コンテンツデータからコンテンツＵＲＬが割愛されてもよい。また、ＳＭＳ文面に予めＳＭＳ用ＵＲＬが組みこまれていてもよい。この場合、ＳＭＳ文面がコンテンツを示す情報となる。また、コンテンツＩＤとＳＭＳ用ＵＲＬのみが対応付けられ、要求データの生成には、コンテンツＩＤに基づいて特定されたＳＭＳ用ＵＲＬと、予め設定されたＳＭＳ文面が用いられてもよい。この場合、いずれのコンテンツＩＤに対しても、ユーザ端末５０に送信されるＳＭＳメールの本文中の文章が同一となる。あるいは、ＳＭＳ文面が用いられず、ＳＭＳ用ＵＲＬのみがＳＭＳメールの本文に設定されて、要求データが生成されてもよい。
【００８２】
・表示端末２０に表示されるコンテンツを紹介する情報は、１つのコンテンツを紹介する情報であってもよい。この場合、表示端末２０から情報管理サーバ１０にユーザ端末５０の宛先のみが送信され、生成部１３ａは、予め設定されているＳＭＳ用ＵＲＬ、および、ＳＭＳ文面を用いて要求データを生成してもよい。すなわち、情報管理サーバ１０がコンテンツデータを保有していなくてもよい。
【００８３】
・コンテンツを示す情報として、短縮ＵＲＬに代えて、コンテンツＵＲＬが用いられてもよい。この場合、生成部１３ａは、コンテンツＩＤに基づいて特定したコンテンツＵＲＬを用いて要求データを作成する。
【００８４】
・コンテンツを示す情報が、情報管理サーバ１０に記憶されておらず、表示端末２０に記憶されており、表示端末２０から情報管理サーバ１０に送信されてもよい。すなわち、表示端末２０の端末記憶部２４にＳＭＳ用ＵＲＬが記憶され、表示端末２０から情報管理サーバ１０に、選択されたコンテンツに対応するＳＭＳ用ＵＲＬとユーザ端末５０の宛先とが送信されてもよい。この場合、受信したＳＭＳ用ＵＲＬがＳＭＳメールの本文に設定されて、要求データが生成される。
【００８５】
・コンテンツを示す情報が、コンテンツＩＤと対応付けられたＳＭＳ文面であって、ＵＲＬを含まない文字情報であってもよい。例えば、第２の実施形態のコンテンツデータにおいて、コンテンツを示す情報が、コンテンツが存在しない旨を通知する情報である場合、ＳＭＳ文面にコンテンツが存在しない旨を通知する内容が含まれ、コンテンツデータからコンテンツＵＲＬとＳＭＳ用ＵＲＬとが割愛されてもよい。
【００８６】
・第１の実施形態において、コンテンツの削除等によってコンテンツが存在しない場合に、コンテンツデータベース１２ａは、コンテンツを示す情報に代えて、コンテンツが存在しない旨を示す情報とコンテンツＩＤとを対応付けてもよい。
【００８７】
・第２の実施形態は、期間に応じてコンテンツが存在しない旨を通知する場合に限らず、同一のコンテンツＩＤに対応するコンテンツとして、期間に応じて異なるコンテンツを提供する場合に適用されてもよい。
【００８８】
・第２の実施形態において、設定される配信期間は、日付を含む期間に限らず、時刻によってのみ規定される期間でもよい。
・第２の実施形態において、情報管理サーバ１０内に保有されるプログラム等によって、コンテンツデータが所定の時刻に書き換えられることにより、コンテンツＩＤとコンテンツを示す情報との対応付けが期間に応じて切り替えられてもよい。
【００８９】
・配信履歴データには、上記実施形態に挙げた項目の他、例えば、コンテンツＩＤに基づいて特定したＳＭＳ文面等、情報管理サーバ１０が取得可能なデータを必要に応じて登録してもよい。また、上記実施形態に挙げた項目のうち、登録されない項目があってもよい。また、配信履歴データが作成されなくてもよい。
【００９０】
・コンテンツを示す情報をユーザ端末５０に送信する手段は、携帯電話番号を宛先としたＳＭＳメールに限らず、Ｅメール等の文字列を宛先とするメールであってもよい。この場合、ユーザ端末５０の宛先は、送信手段に応じた宛先とされる。
【００９１】
・管理データは、コンテンツＩＤと対応付けられて情報管理サーバ１０に記憶されていてもよい。そして、表示端末２０から送信されたコンテンツＩＤに基づいて管理データが特定され、特定された管理データが配信履歴データとして登録されてもよい。
【００９２】
・コンテンツ提供サーバ６０を情報管理サーバ１０が兼ねてもよい。すなわち、コンテンツページのデータが情報管理サーバ１０に保有されてもよい。
・表示端末２０は、設置箇所が固定されず、移動可能とされてもよい。また、表示端末２０は、デジタルサイネージに限らず、パーソナルコンピュータやタブレット端末に具体化されてもよい。要は、表示端末２０は、コンテンツを紹介する情報が表示される表示部と、ユーザ端末５０の宛先が入力される入力部とを備える端末であればよい。
【符号の説明】
【００９３】
Ｄａ…コンテンツデータ、Ｄｂ…配信履歴データ、１０…情報管理サーバ、１１…通信部、１２…サーバ記憶部、１２ａ…コンテンツデータベース、１２ｂ…リダイレクトデータベース、１２ｃ…配信履歴データベース、１３…サーバ制御部、１３ａ…生成部、１３ｂ…解析部、１３ｃ…登録部、２０…表示端末、２１…表示部、２２…入力部、２３…端末制御部、２４…端末記憶部、３０…ＳＭＳ送信サーバ、４０…センターサーバ、５０…ユーザ端末、６０…コンテンツ提供サーバ。
【図１】
2014167689.tif 000003
【図２】
2014167689.tif 000004
【図３】
2014167689.tif 000005
【図４】
2014167689.tif 000006
【図５】
2014167689.tif 000007
【図６】
2014167689.tif 000008